(57)【要約】【課題】平面らせん形蛍光ランプの最冷点の昇温を防止して、発光効率を改善することのできる照明器具を提供する。【解決手段】器具本体１２に取り付けられている熱伝導体１９を、平面らせん形蛍光ランプ２０の最冷点である発光管２２の中央部２２ａに接触させたので、発光管２２の中央部２２ａの熱を、熱伝導体１９を介して器具本体１２へ逃がすことができ、最冷点２２ａの昇温を防止して、発光効率を改善することができる。【選択図】図１
2010009880.tif 000002
【特許請求の範囲】
【請求項１】
平面らせん形状をした発光管を有する平面らせん形蛍光ランプと、前記平面らせん形蛍光ランプを駆動させる点灯装置と、前記平面らせん形蛍光ランプ及び前記点灯装置を保持する器具本体と、を備えた照明器具であって、
前記器具本体に取り付けられて前記発光管の最冷点である中央部に接触する熱伝導体を設けたことを特徴とする照明器具。
【請求項２】
前記発光管の両端部を連結するブリッジを有し、該ブリッジにおける前記発光管の中央部に対応する位置に開口を設け、前記熱伝導体が前記開口を通過して前記発光管の中央部に接触することを特徴とする請求項１記載の照明器具。
【発明の詳細な説明】
【技術分野】
【０００１】
本発明は、平面らせん形状をした発光管を有する平面らせん形蛍光ランプを用いた照明器具に関するものである。
【背景技術】
【０００２】
従来より、平面的な光源を得るための平面らせん形蛍光灯を用いた照明器具が提案されている（例えば特許文献１参照）。
【０００３】
ところで、特許文献１に記載されているような平面らせん形蛍光灯においては、ランプ着脱時に発光管が破損するのを防止するために、発光管を保持する保持部材が設けられる場合がある（例えば特許文献２参照）。
【０００４】
図７（ａ）および（ｂ）に示すように、特許文献２に記載の平面らせん形蛍光ランプ１００においては、一連の屈曲した発光管１０１が、中央部１０２を中心として略一平面上で渦巻状に旋回された二重渦巻き形状を有している。そして、略対向して離れた両端部、すなわち管端部１０３ａ、１０３ｂの間には保持部材としてのブリッジ１０４が設けられている。発光管１０１の両端面には口金１０５が設けられており、各口金１０５には、管端部１０３ａ、１０３ｂの内部に設けられているフィラメント（図示省略）に接続される一対のランプピン１０６が設けられている。
【特許文献１】特開２００７−１５７３６７号公報（第１２図、第１３図）
【特許文献２】特開２００７−８７９６８号公報（第１図）
【発明の開示】
【発明が解決しようとする課題】
【０００５】
しかしながら、前述した平面らせん形蛍光ランプ１００においては、フィラメントの発熱により昇温する管端部１０３ａ、１０３ｂにブリッジ１０４が取り付けられ、このフィラメントが、最冷点である発光管の中央部１０２に近接して設けられている。このため、管端部１０３ａ、１０３ｂの熱によってブリッジ１０４が加熱され、ブリッジ１０４の温度が発光管の中央部１０２に伝達されて、最冷点の温度が上昇し、発光効率が低下するという不都合がある。
【０００６】
本発明は、従来の問題を解決するためになされたもので、最冷点の昇温を防止して、発光効率を改善することのできる照明器具を提供することを目的とする。
【課題を解決するための手段】
【０００７】
本発明の照明器具は、平面らせん形状をした発光管を有する平面らせん形蛍光ランプと、前記平面らせん形蛍光ランプを駆動させる点灯装置と、前記平面らせん形蛍光ランプ及び前記点灯装置を保持する器具本体と、を備えた照明器具であって、前記器具本体に取り付けられて前記発光管の最冷点である中央部に接触する熱伝導体を設けた構成を有している。
【０００８】
この構成により、器具本体に取り付けられている熱伝導体を、平面らせん形蛍光ランプの最冷点である発光管の中央部に接触させたので、発光管の中央部の熱を、熱伝導体を介して器具本体へ逃がすことができ、最冷点の昇温を防止して、発光効率を改善することができる。
【０００９】
また、本発明の照明器具は、前記発光管の両端部を連結するブリッジを有し、該ブリッジにおける前記発光管の中央部に対応する位置に開口を設け、前記熱伝導体が前記開口を通過して前記発光管の中央部に接触する構成を有している。
【００１０】
この構成により、昇温する発光管端部を連結するブリッジを設け、ブリッジにおける発光管の中央部に対応する位置に開口を設けたので、熱伝導体は、開口を介して器具本体と発光管の中央部との間に設けることができる。
【発明の効果】
【００１１】
本発明は、器具本体に取り付けられている熱伝導体を、最冷点である発光管の中央部に接触させたので、中央部の熱を、熱伝導体を介して器具本体へ逃がすことができ、最冷点の昇温を防止して、発光効率を改善することができるという効果を有する照明器具を提供することができるものである。
【発明を実施するための最良の形態】
【００１２】
以下、本発明の実施の形態の照明器具について、図面を用いて説明する。
図１は本発明の第１実施形態にかかる照明器具の斜視図、図２は本発明の照明器具で用いられる平面らせん形蛍光ランプの斜視図、図３は平面らせん形蛍光ランプを器具本体に取り付ける状態を示す断面図、図４は平面らせん形蛍光ランプを器具本体に取り付けた状態を示す断面図である。
【００１３】
図１に示すように、本発明にかかる照明器具１０は、天井や壁等の壁面１１に固定して使用するものであり、例えば矩形箱状の器具本体１２と、器具本体１２の前面開口を覆う透明あるいは半透明の樹脂等からなるパネル１３を有している。器具本体１２の底板１２ａには、一方の端部寄りに商用交流電源（図示省略）に接続されている点灯装置１４等の電気部品が取付けられており、点灯装置１４等を覆うとともにパネル１３を取付けるための取付板１５が設けられている。パネル１３は、ネジ１３ａを取付板１５のネジ穴１５ａに螺合し、締め付けることにより着脱可能に取付けられる。
【００１４】
また、底板１２の中央部および他方の端部寄りには、光源である平面らせん形蛍光ランプ２０の照明光をパネル１３側に反射して照明効率を向上させる反射板１６が設けられており、反射板１６の上面に、平面らせん形蛍光ランプ２０を装着するための一対のランプソケット１７、１７が取付けられている。これらランプソケット１７、１７は、電源線（図示省略）によって、点灯装置１４に接続されている。
【００１５】
反射板１６の上面には、平面らせん形蛍光ランプ２０をランプソケット１７に装着した際に、平面らせん形蛍光ランプ２０の端部２２ｂを保持するランプ支持バネ１８が設けられている。また、反射板１６の上面における、平面らせん形蛍光ランプ２０を取り付けた際に、発光管２２の中央部２２ａに対応する位置には、熱伝導体１９が設けられている（図３参照）。熱伝導体１９は、例えばシリコン製の円柱状の部材であり、下端面が反射板１６に接着剤等により固定されている。
【００１６】
図２に示すように、平面らせん形蛍光ランプ２０は、管状の放電路が長手方向中央部２２ａを始点として同一平面に沿って２重渦巻状に旋回された発光管２２を有しており、発光管２２の中央部２２ａは、その他の部分に比して太径となっていて、最冷点となっている。発光管２２の両端部２２ｂにはそれぞれ口金２３、２３が取付けられており、両口金２３、２３は、発光管２２の中央部２２ａに対して、点対称の位置に設けられている。各口金２３、２３には、平面らせん形蛍光ランプ２０の平面に直交する方向（図２において上下方向）に配置された一対のランプピン２１が、発光管２２の軸方向に沿って突出して設けられている。
【００１７】
発光管２２における最冷点（２２ａ）と反対側面（図２において上側面）には、発光管２２の両端部２２ｂ、２２ｂ同士を連結する保持部材であるブリッジ２４が設けられており、ブリッジ２４の両端には、発光管２２を保持するためのリング状の保持部２４ａが設けられている。また、ブリッジ２４の中央部には、最冷点である発光管２２の中央部２２ａに対応して開口２５が設けられている。開口２５の形状および大きさは、反射板１６に取り付けられている熱伝導体１９が通過可能なものであればよく、形状を一致させる必要はない。
【００１８】
従って、図４に示すように、平面らせん形蛍光ランプ２０を器具本体１２に取り付けると、反射板１６に取り付けられている熱伝導体１９は、平面らせん形蛍光ランプ２０のブリッジ２４に設けられている開口２５を貫通して、平面らせん形蛍光ランプ２０の発光管２２の中央部２２ａに接触する。なお、熱伝導体１９の長さ（高さ）は、平面らせん形蛍光ランプ２０が取り付けられた際に、少なくとも、上端面が発光管２２の中央部２２ａに押し付けられるものとする。
【００１９】
以上、説明した本発明の実施形態にかかる照明器具１０によれば、器具本体１２に取り付けられている熱伝導体１９を、最冷点である発光管の中央部２２ａに接触させたので、発光管の中央部２２ａの熱を、熱伝導体１９を介して器具本体１２へ逃がすことができ、最冷点（２２ａ）の昇温を防止して、発光効率を改善することができる。
【００２０】
次に、本発明の第２実施形態にかかる照明器具を説明する。
図５は装着前の状態を示す断面図、図６は装着後の状態を示す断面図である。なお、前述した第１実施形態にかかる照明器具と共通する部位には同じ符号を付して、重複する説明を省略することとする。
【００２１】
本発明にかかる第２実施形態の照明器具１０Ｂにおいては、熱伝導体１９Ｂとして、例えばステンレス製の弾性部材１９ｂをネジ１９ｃ等により反射板１６に固定し、シリコン製のカバー１９ｄを取り付けた先端部が発光管２２の中央部２２ａに当接するようにした。この際、弾性部材１９ｂの先端のカバー１９ｄは、弾性部材１９ｂの弾性力により、発光管２２の中央部２２ａに押し付けられる。
このようにしても、前述した第１実施形態にかかる照明器具１０と同様の作用効果を得ることができる。
【００２２】
なお、本発明の照明器具は、前述した各実施形態に限定されるものでなく、適宜な変形，改良等が可能である。
【図面の簡単な説明】
【００２３】
【図１】本発明の第１実施形態にかかる照明器具の斜視図
【図２】本発明の照明器具で用いる平面らせん形蛍光ランプの斜視図
【図３】平面らせん形蛍光ランプを器具本体に取り付ける状態を示す断面図
【図４】平面らせん形蛍光ランプを器具本体に取り付けた状態を示す断面図
【図５】本発明の第２実施形態装着前の状態を示す断面図
【図６】図６は装着後の状態を示す断面図
【図７】（ａ）従来より知られている平面らせん形蛍光ランプを上方から見た斜視図、（ｂ）は同じく下方から見た斜視図
【符号の説明】
【００２４】
１０  照明器具
１２  器具本体
１４  点灯装置
１９  熱伝導体
２０  平面らせん形蛍光ランプ
２２  発光管
２２ａ  中央部
２４  ブリッジ
２５  開口
【図１】
2010009880.tif 000003
【図２】
2010009880.tif 000004
【図３】
2010009880.tif 000005
【図４】
2010009880.tif 000006
【図５】
2010009880.tif 000007
【図６】
2010009880.tif 000008
【図７】
2010009880.tif 000009